(57)【要約】【課題】  ユーザの手指を塵埃で汚すことなく、塵埃収容器内で纏まった塵埃のみならず、塵埃収容器に付着した塵埃をも簡単な操作で取り除くことができる電気掃除機を提供する。【解決手段】  電動送風機を内蔵する掃除機本体２に着脱自在に設けられる集塵ケース１０を備え、前記集塵ケース１０が、開閉自在な蓋体１２を有すると共に塵埃を収容する塵埃収容器２０を内側に収納し、前記蓋体１２が開いた際に前記集塵ケース１０の前側開口３３から前記塵埃収容器２０が突き出ることで塵埃を放出する電気掃除機において、ユーザの手動によって往復移動することで、前記集塵ケース２０の前側開口３３から突き出た前記塵埃収容器２０に振動を付与するレバー８（入力部）を備えることを特徴とする。【選択図】  図６
2013070840.tif 000002
【特許請求の範囲】
【請求項１】
電動送風機を内蔵する掃除機本体に着脱自在に設けられる集塵ケースを備え、
前記集塵ケースが、開閉自在な蓋体を有すると共に塵埃を収容する塵埃収容器を内側に収納し、
前記蓋体が開いた際に前記集塵ケースの開口から前記塵埃収容器が突き出ることで塵埃を放出する電気掃除機において、
ユーザの手動によって往復移動することで、前記集塵ケースの開口から突き出た前記塵埃収容器に振動を付与する入力部を備えることを特徴とする電気掃除機。
【請求項２】
請求項１に記載の電気掃除機において、
前記塵埃収容器は、この塵埃収容器の壁部の外側に突起を備え、
前記突起は、前記塵埃収容器が前記集塵ケースの開口から突き出た際に、前記入力部と当接可能となることを特徴とする電気掃除機。
【請求項３】
請求項２に記載の電気掃除機において、
前記塵埃収容器は、複数の壁部で形成され、
前記突起が設けられた壁部は、前記塵埃収容器が前記集塵ケースの開口から突き出た際に、前記突起が前記入力部に近接するように移動可能となっていることを特徴とする電気掃除機。
【請求項４】
請求項１から請求項３のいずれか１項に記載の電気掃除機において、
前記集塵ケースは、前記塵埃収容器を前記集塵ケースの開口から突き出す方向に付勢する付勢手段を更に有すると共に、
前記入力部は、前記付勢手段の付勢力に抗して前記塵埃収容器が突き出す方向とは逆方向に移動するように前記塵埃収容器に荷重を加えるように構成されており、
前記入力部が往復移動することで、前記塵埃収容器が突き出す方向とその逆方向とに振れるように振動することを特徴とする電気掃除機。
【請求項５】
請求項１から請求項４のいずれか１項に記載の電気掃除機において、
前記入力部は、前記蓋体を開けると共に、前記塵埃収容器に振動を付与することを特徴とする電気掃除機。
【請求項６】
請求項２から請求項５のいずれか１項に記載の電気掃除機において、
前記入力部は、レバーであり、ユーザによって握られた前記レバーが前記突起に荷重を加えることを特徴とする電気掃除機。
【請求項７】
請求項２から請求項５のいずれか１項に記載の電気掃除機において、
前記入力部は、ボタンであり、ユーザによって押された前記ボタンが前記突起に荷重を加えることを特徴とする電気掃除機。
【発明の詳細な説明】
【技術分野】
【０００１】
本発明は、塵埃を捕集する塵埃ケースを掃除機本体に着脱自在に設けた電気掃除機に関する。
【背景技術】
【０００２】
従来、電動送風機を内蔵する掃除機本体内に捕集された塵埃を簡単な操作で廃棄することができる電気掃除機としては、例えば、特許文献１に記載されたものが知られている。この電気掃除機は、所定の吸込具（吸口体）、延長管及びホースを介して吸い込んだ塵埃を、掃除機本体に着脱自在に設けられた集塵ケース内に捕集するようになっている。この集塵ケースは、開閉自在な蓋体と、塵埃を収容する塵埃収容器（集塵かご）を内側に収納している。そして、集塵ケースは、蓋体が開いた際にその開口から塵埃収容器が突き出るようになっており、この塵埃収容器が突き出る際の勢いで塵埃を放出するようになっている。
【０００３】
このような電気掃除機によれば、集塵ケース内に捕集された塵埃をゴミ箱等に廃棄する際に、ユーザが集塵ケースのハンドル部分を把持して掃除機本体から取り外すと共に集塵ケースの蓋体を開けると、この開く動作に連動して塵埃が塵埃収容器から放出されるので、ユーザは手を塵埃で汚すことなくこの塵埃をごみ箱等に容易に廃棄することができる。
【先行技術文献】
【特許文献】
【０００４】
【特許文献１】特開２００９−２６１４６７号公報
【発明の概要】
【発明が解決しようとする課題】
【０００５】
しかしながら、従来の電気掃除機（特許文献１参照）では、塵埃収容器内で一塊に纏まった塵埃は、前記した塵埃収容器の突出動作によって塵埃収容器から比較的容易に放出されるものの、塵埃収容器の内壁に付着した塵埃は塵埃収容器内に残る場合がある。このような場合に、ユーザは、把持した塵埃ケースを揺すって塵埃収容器に付着した塵埃を振り落とすか、又は付着した塵埃を手指で取り除いていた。また、塵埃ケースを揺すって塵埃を振り落とそうとすると、予期せぬ方向に塵埃が飛散して周囲を汚すおそれもある。したがって、付着した塵埃をも塵埃収容器から簡単な操作で取り除くことができる電気掃除機が望まれていた。
【０００６】
そこで、本発明の課題は、塵埃収容器に付着した塵埃をも簡単な操作で取り除くことができる電気掃除機を提供することにある。
【課題を解決するための手段】
【０００７】
前記課題を解決する本発明は、電動送風機を内蔵する掃除機本体に着脱自在に設けられる集塵ケースを備え、前記集塵ケースが、開閉自在な蓋体を有すると共に塵埃を収容する塵埃収容器を内側に収納し、前記蓋体が開いた際に前記集塵ケースの開口から前記塵埃収容器が突き出ることで塵埃を放出する電気掃除機において、ユーザの手動によって往復移動することで、前記集塵ケースの開口から突出した前記塵埃収容器に振動を付与する入力部を備えることを特徴とする。
【発明の効果】
【０００８】
本発明によれば、塵埃収容器に付着した塵埃をも簡単な操作で廃棄することができる電気掃除機を提供することができる。
【図面の簡単な説明】
【０００９】
【図１】本発明の実施形態に係る電気掃除機を示す外観斜視図である。
【図２】掃除機本体内に配置された集塵ケースの様子を示す斜視図である。
【図３】本発明の実施形態に係る集塵ケースの外観斜視図である。
【図４】本発明の実施形態に係る集塵ケースの断面図である。
【図５】蓋体が開いた集塵ケースの開口から塵埃収容器が突き出た様子を示す斜視図である。
【図６】蓋体が開いて塵埃収容器が突き出た状態の集塵ケースの断面図である。
【図７】本発明の実施形態に係る塵埃収容器において塵埃を廃棄する際の動作を説明するための模式断面図である。
【図８】本発明の他の実施形態に係る集塵ケースを説明する模式断面図である。
【図９】本発明の他の実施形態に係る集塵ケースにおいて塵埃を廃棄する際の動作を説明するための模式断面図である。
【発明を実施するための形態】
【００１０】
以下、本発明の実施形態について添付図面を参照して説明する。まず、図１を参照して、本発明の実施形態にかかる電気掃除機の外観構成について説明する。図１に示すように、電気掃除機１は、掃除機本体２と、ホース３と、手元操作スイッチＳＷ等が設けられた操作管４と、継手管としての延長管５と、吸込具（吸口体ともいう）７とを備えて構成されている。吸込具７の根元部に延長管５の先端部が接続され、延長管５の根元部に操作管４の先端部が接続され、操作管４の根元部にホース３が接続され、ホース３の根元部が掃除機本体２に前端部に接続されている。
【００１１】
掃除機本体２の内部には、吸引力を発生させる図示しない電動送風機や、この電動送風機の吸引力で吸引した塵埃を捕集する集塵ケース１０（図２参照）等が内蔵されており、操作管４に設けられた手元操作スイッチＳＷの操作等によって電動送風機のオンオフ、運転の強弱等が切り替えられるようになっている。以下、図２等を参照して説明するが、各部の方向をいうときには、図２に示す方向を基準とする。
【００１２】
図２に示すように、掃除機本体２の上面には、開閉自在な蓋体２ａが設けられており、蓋体２ａを開くことにより、集塵ケース１０が収納される収納室２ｂが露出するようになっている。集塵ケース１０は、この収納室２ｂに対して着脱自在に設けられており、集塵ケース１０内に塵埃がたまったとき等に必要に応じて収納室２ｂから取り出される。収納室２ｂは、掃除機本体２の内部の前側に区画され、電動送風機（図示省略）は、掃除機本体２の内部の後側に配置されている。なお、蓋体２ａは、集塵ケース１０の出し入れ時に開かれ、掃除運転中は、閉じられている。掃除機本体２への集塵ケース１０の着脱は、収納室２ｂに対して集塵ケース１０を略上下方向に移動させることで行われる。
【００１３】
図３に示すように、集塵ケース１０は、前後に開口する筒状のケース部材１１と、このケース部材１１の前側開口３３を塞ぐように配置される蓋体１２と、ケース部材１１の後側開口３４を塞ぐように配置されるフィルタ部材１５と、を備えている。なお、この前側開口３３は特許請求の範囲にいう「集塵ケースの開口」に相当する。
【００１４】
蓋体１２は、ケース部材１１の前端下部に設けられたヒンジ部１１ａ，１１ａ周りに回動可能に設けられている。また、蓋体１２は、後記するように、ケース部材１１の前端上部に設けられた係止孔１７（図４参照）に蓋体１２の係止片１８（図４参照）が嵌り込むことにより、ケース部材１１の前側開口３３を塞ぐ閉状態が維持されるようになっている。
【００１５】
ちなみに、蓋体１２を開く際には、後に詳しく説明するが、図３に示すケース部材１１の上面に設けられたレバー８（入力部）の操作によって、レバー８の先端に形成された突出片１９（図４参照）で係止片１８（図４参照）を押圧する。その結果、蓋体１２は、係止片１８（図４参照）が係止孔１７（図４参照）から離脱することで、前方へ倒れるようにヒンジ部１１ａ周りに回動し、ケース部材１１の前側開口３３を開くこととなる。
【００１６】
図３に示すように、蓋体１２の中央部には、円形の流入口（吸込口ともいう）１２ａが開口形成されている。この流入口１２ａは、集塵ケース１０が収納室２ｂ（図２参照）に配置された際に、ホース３（図１参照）と連通するようになっており、この流入口１２ａを通じて、塵埃を含む空気が集塵ケース１０内に流れ込むようになっている。
【００１７】
なお、流入口１２ａの開口には、塵埃収容器２０（図４参照）内に捕集した塵埃が流入口１２ａを介して漏れ出ないように、ゴムなどの弾性材料からなる逆止弁を設けてもよい。
【００１８】
誤開き防止部材１４は、枠部１４ａと突出部１４ｂとが一体になるように形成されたものであり、枠部１４ａの下部にあるヒンジの回動軸１４ｃ（図４参照）で蓋体１２に対して回動自在に取り付けられている。つまり、誤開き防止部材１４は、回動軸１４ｃ周りで枠部１４ａが蓋体１２から離れるように、図４に示す前方に向けて回動するようになっている。また、回動軸１４ｃ周りには図示しない捻りコイルばねが配置されており、この捻りコイルばねは、枠部１４ａが蓋体１２が離れる方向に誤開き防止部材１４を付勢している。
【００１９】
そして、掃除機本体２（図２参照）の収納室２ｂ（図２参照）に集塵ケース１０が収容された状態では、突出部１４ｂが収納室２ｂの内壁に当設することで、枠部１４ａが後方の蓋体１２に押し付けられている。そのため、収納室２ｂ内に集塵ケース１０が収容された状態では、レバー８が誤って持ち上げられても蓋体１２が開くことはない。
【００２０】
また、ユーザが、掃除機本体２（図２参照）の収納室２ｂ（図２参照）から集塵ケース１０を取り出す際に、レバー８が誤って持ち上げられたとしても（図４中、二点鎖線で示すレバー８参照）、レバー８の先端が下方に向かうように、後記する軸部２７（図４参照）周りに回動する。つまり、レバー８の先端で下方に屈曲するように形成された突出片１９ａ（図４中、二点鎖線で示す突出片１９ａ参照）が、枠部１４ａをその前側から蓋体１２側に向けて押圧して係止するので、蓋体１２は開くことがない。
【００２１】
つまり、誤開き防止部材１４は、集塵ケース１０が収納室２ｂに配置されている際、又は収納室２ｂから集塵ケース１０を取り出そうとする際に、レバー８が上に持ち上げられたとしても、蓋体１２の誤開きを防止するようになっている。
【００２２】
そして、ユーザが、掃除機本体２（図２参照）の収納室２ｂ（図２参照）から集塵ケース１０を取り出した状態で、持ち上げられているレバー８を解放すると（図４中、実線で示すレバー８参照）、後記する板ばね６（図４参照）の付勢力でレバー８の先端の突出片１９ａ（図４中、実線で示す突出片１９ａ参照）が枠部１４ａに対する係止を解くと共に、枠部１４ａが前記した捻りコイルばね（図示省略）の付勢力で蓋体１２が離れる方向に移動する。その結果、ユーザがレバー８を再び持ち上げる際に、突出片１９が蓋体１２の前記した係止片１８（図４参照）を押圧できるようになって、レバー８の操作による蓋体１２の開動作が可能となる。なお、誤開き防止部材１４は、必須の構成要素ではない。
【００２３】
フィルタ部材１５は、例えば、波形のプリーツ加工されたフィルタを有して形成されており、ケース部材１１の下部に設けられた図示しないヒンジによりケース部材１１に対して開閉自在に設けられている。そして、フィルタ部材１５は、所定のメンテナンス時以外は、ケース部材１１の後側開口３４を塞ぐ閉状態となっている。なお、図３中、符号１６は、集塵ケース１０の把持部（ハンドルともいう）であり、ケース部材１１の上面の上方で前後方向に延在するように設けられ、その一端がケース部材１１の上面前端の略中央に接続され、他端がケース部材１１の上面後端の略中央に接続されている。
【００２４】
次に、図４を参照して、集塵ケースの構成について説明する。図４は、集塵ケースの断面図である。
【００２５】
図４に示すように、集塵ケース１０のケース部材１１の内部には、空気と塵埃とを分離するフィルタとして機能する塵埃収容器２０が配置されている。塵埃収容器２０は、メッシュ状のフィルタ２０ａを各面に有する枠体（支骨）によって形成され、前方に開口する集塵かごを構成している。具体的には、塵埃収容器２０は、下側壁部２１と、後側壁部２２と、一対の側壁部２３（図４の紙面手前側の側壁部は図示省略）と、上側壁部２５とを備えており、蓋体１２の流入口１２ａ側である空気の流れ方向の上流側が開口している。
【００２６】
このような塵埃収容器２０を構成する壁部のうち、下側壁部２１、後側壁部２２、及び側壁部２３は、互いに隣接する端縁同士で一体的に連結されている。また、上側壁部２５の後辺と、隣接する後側壁部２２の上辺とが支軸２５ｂを介して連結されており、上側壁部２５は、後側壁部２２に対してこの支軸２５ｂ周りで回動するようになっている。
【００２７】
このような塵埃収容器２０は、ケース部材１１の底面に装着される基部２６を有している。そして、下側壁部２１の前端と基部２６の前端とは支軸２１ａを介して連結されており、下側壁部２１は、基部２６に対してこの支軸２１ａ周りで回動するようになっている。
【００２８】
また、支軸２１ａには、これを取り巻くように捻りコイルばね３０（付勢手段）が設けられている。この捻りコイルばね３０は、基部２６と下側壁部２１との成す角度が開くように付勢するものであり、言い換えれば、塵埃収容器２０（下側壁部２１）が、支軸２１ａ周りで回動してケース部材１１の前側開口３３から突き出る方向に付勢するものである。
【００２９】
そして、塵埃収容器２０には、上側壁部２５の後部に、板状の規制ストッパ２５ａが突設されている。この規制ストッパ２５ａは、後記するように、捻りコイルばね３０の付勢力で塵埃収容器２０（下側壁部２１）が支軸２１ａ周りで回動した際に、ケース部材１１の上部の内壁に設けられた規制部１１ｄに当接するようになっている。つまり、規制ストッパ２５ａは、塵埃収容器２０がケース部材１１の前側開口３３から突き出る際に、上側壁部２５の後部を前側開口３３近傍に係止するように機能する。ちなみに、規制部１１ｄは、支軸２１ａ周りで規制ストッパ２５ａが回動する軌跡上に形成される。
【００３０】
また、塵埃収容器２０は、上側壁部２５に、突起１３が設けられている。本実施形態での突起１３は、上側壁部２５の上面から上方に向けて突出するように形成されている。この突起１３は、後記するように、塵埃収容器２０がケース部材１１の前側開口３３から突き出た際に、レバー８の先端部に近接して向き合うように、望ましくは当接するようになっている。
【００３１】
以上のような塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００３２】
レバー８は、集塵ケース１０の把持部１６の下方で把持部１６に沿うようにケース部材１１の上面の上方で前後方向に延在するように設けられている。また、ケース部材１１の上面とレバー８との間には、ユーザが手指の出し入れを必要十分に行うことができる程度の距離が設けられている。
【００３３】
レバー８は、ケース部材１１の前端で接続される把持部１６の前部に設けられた軸部２７に軸支されると共に、軸部２７から更に前方に延出する先端に前記した突出片１９が形成されている。レバー８の後部は、ケース部材１１の上面に向かって屈曲すると共に、その先端がケース部材１１の上面に当接している。また、軸部２７の後寄りで、レバー８と把持部１６との間には、板ばね６が設けられている。この板ばね６は、軸部２７周りに回動するレバー８の突出片１９が、蓋体１２から離れる方向に付勢している。
【００３４】
このレバー８は、軸部２７よりも後寄りの部分をユーザの手指が板ばね６の付勢力に抗して上方に向けて持ち上げた際に、突出片１９が下方に移動するように軸部２７周りに回動する。その結果、前記したように、突出片１９で押圧された係止片１８が係止孔１７から離脱することで、蓋体１２は、ヒンジ部１１ａ周りに回動可能となる。
【００３５】
一方、捻りコイルばね３０でケース部材１１の前側開口３３から突き出る方向に付勢されている塵埃収容器２０は、蓋体１２を内側から押圧しているので、回動可能となった蓋体１２は、前方へ倒れるようにヒンジ部１１ａ周りに回動して、ケース部材１１の前側開口３３を開くこととなる。
【００３６】
そして、図５に示すように、蓋体１２がケース部材１１の前側開口３３を開くことで、塵埃収容器２０は、捻りコイルばね３０の付勢力で前側開口３３から突き出ることとなる。この際、塵埃収容器２０は、支軸２１ａ（図４参照）周りに回動することで、塵埃収容器２０の後部を持ち上げるように傾くので、塵埃収容器２０内で纏まっている塵埃（図示省略）は、塵埃収容器２０の突出動作の勢いとも相俟って、塵埃収容器２０から簡単に放出される。なお、図５中、符号８はレバーであり、符号１０は集塵ケースであり、符号１６は把持部であり、符号２０ａはフィルタであり、符号２１は下側壁部であり、符号２２は後側壁部であり、符号２３は側壁部であり、符号２５は上側壁部である。
【００３７】
また、蓋体１２が開いた状態の集塵ケース１０の断面図である図６に示すように、ケース部材１１の前側開口３３から突き出た塵埃収容器２０は、その上側壁部２５の後部が規制部１１ｄに当接した規制ストッパ２５ａにより前側開口３３近傍に係止される。そして、規制ストッパ２５ａが規制部１１ｄに当接してから更に下側壁部２１が捻りコイルばね３０の付勢力で前方に突き出ようとすることで、上側壁部２５は、その前部が上方に向かうように支軸２５ｂ周りに回動する。つまり、上側壁部２５が上方に開く状態となって、塵埃収容器２０内の塵埃が更に容易に放出されることとなる。
【００３８】
本実施形態に係る電気掃除機１においては、このように塵埃収容器２０が集塵ケース１０の前側開口３３から突き出した状態で、レバー８の先端部は、前記したように、上側壁部２５に設けられた突起１３と近接して向き合い、望ましくは当接することとなる。
【００３９】
次に、図７を参照して、塵埃を廃棄する際の塵埃収容器２０の動作について説明する。図７（ａ）から図７（ｄ）は、本実施形態での塵埃収容器において塵埃を廃棄する際の動作を説明するための模式断面図である。
【００４０】
図７（ａ）に示すように、ユーザＵがレバー８を引き上げることで、前記したように、ケース部材１１に対する蓋体１２の係止が解かれる。
【００４１】
そして、図７（ｂ）に示すように、蓋体１２が回動することで開いたケース部材１１の前側開口３３から塵埃収容器２０が突き出ると、塵埃収容器２０内で纏まった塵埃Ｄが塵埃収容器２０から放出される。この際、塵埃収容器２０の規制ストッパ２５ａがケース部材１１の前側開口３３近傍（図６の規制部１１ｄ）に当接することで、塵埃収容器２０の上側壁部２５は上方に向かって開くこととなる。その結果、上側壁部２５に設けられた突起１３は、レバー８の先端部と近接して向き合うか、又は当接する。
【００４２】
次に、図７（ｃ）に示すように、ユーザＵがレバー８を勢いよく引き上げると、レバー８の先端付近にある突出片１９（図４参照）が上側壁部２５の突起１３を打撃することで、上側壁部２５は下方に変位する。また、突起１３が規制ストッパ２５ａよりも前側に位置することから、上側壁部２５の突起１３が打撃を受けた際に、規制部１１ｄから規制ストッパ２５ａに対して反力が付与される。その結果、規制ストッパ２５ａが規制部１１ｄから離れると共に塵埃収容器２０は、突出方向と逆の方向に移動する。すなわち、規制ストッパ２５ａの先端側が勢いよく前方に向けて回動することで、規制ストッパ２５ａが規制部１１ｄを突き放すようになり、その結果、塵埃収容器２０が後方に向けて勢いよく移動する。ちなみに、ユーザＵのレバー８の操作速度が速いほど、規制部１１ｄと規制ストッパ２５ａとが離反する間隔が大きくなって、塵埃収容器２０の移動距離も長くなる。
【００４３】
そして、図７（ｄ）に示すように、捻りコイルばね３０（図５参照）の付勢力によって、塵埃収容器２０は、図７（ｂ）に示す位置と同じ位置に復元する。そして、ユーザＵは、レバー８を下げ降ろした後、再び図７（ｃ）に示すように、レバー８を勢いよく引き上げて、レバー８の先端部で上側壁部２５の突起１３を打撃する。このような図７（ｃ）に示すレバー８の引き上げ動作と、図７（ｄ）に示すレバー８の下げ降ろし動作を素早く繰り返すことで、言い換えれば、ユーザＵの手動によってレバー８を素早く往復移動させることで、塵埃収容器２０は、突出方向への変位と逆方向への移動を小刻みに繰り返して振動することとなる。その結果、塵埃収容器２０に付着した塵埃Ｄは、塵埃収容器２０から効率よく取り除かれることとなる。
【００４４】
以上のように、本実施形態に係る電気掃除機１によれば、ユーザＵは、レバー８（入力部）を往復移動させることで、集塵ケース１０の前側開口３３から突き出た塵埃収容器２０を振動させることができるので、手指を塵埃Ｄで汚すことなく、塵埃収容器２０内で纏まった塵埃Ｄのみならず、塵埃収容器２０に付着した塵埃Ｄをも簡単な操作で廃棄することができる。
【００４５】
また、本実施形態に係る電気掃除機１によれば、塵埃収容器２０が集塵ケース１０の前側開口３３から突き出た際に、塵埃収容器２０の突起１３が、レバー８の突出片１９と当接可能となるので、レバー８の往復移動によって、より確実に塵埃収容器２０を振動させることができる。
【００４６】
また、本実施形態に係る電気掃除機１によれば、塵埃収容器２０の上側壁部２５は、規制ストッパ２５ａがケース部材１１の前側開口３３近傍（図６の規制部１１ｄ）に当接することで、上方に向かって開くこととなる。つまり、上側壁部２５に設けられた突起１３は、塵埃収容器２０が集塵ケース１０の前側開口３３から突き出た際に、突起１３がレバー８の突出片１９に近接する。その結果、レバー８の往復移動によって、更に確実に塵埃収容器２０を振動させることができる。
【００４７】
また、本実施形態に係る電気掃除機１によれば、レバー８が往復移動することによって、塵埃収容器２０が突き出す方向とその逆方向とに振れるように振動すると、塵埃Ｄが放出される方向、及びその逆方向とに振れるように塵埃収容器２０が振動することとなる。その結果、塵埃収容器２０に付着した塵埃Ｄは、放出される方向に加えられる力とその慣性力とによって塵埃収容器２０から引き離されることとなる。その結果、塵埃収容器２０に付着した塵埃Ｄをも、廃棄することができる。
【００４８】
また、本実施形態に係る電気掃除機１によれば、レバー８の簡単な操作によって、蓋体１２を開けると共に、塵埃収容器２０に振動を与えることもできるので、それぞれの動作をさせるために別々の入力部を有するものと異なって、構造を簡素化することができる。
【００４９】
また、本実施形態に係る電気掃除機１によれば、ユーザＵがレバー８を握る動作（レバー８を引き上げる動作）によって、突起１３に荷重を加えることになるので、ユーザＵは容易に、しかも小さい力で塵埃収容器２０を振動させることができる。
【００５０】
なお、本実施形態は前記実施形態に限定されることなく、様々な形態で実施される。前記実施形態では、塵埃収容器２０に振動を付与する入力部をレバー８で構成したが、入力部は、ユーザの手動によって往復移動が可能であり、この往復移動により塵埃収容器２０に振動を付与するものであれば特に制限はない。
【００５１】
次に、図８を参照して、本発明の他の実施形態について説明する。図８は、本発明の他の実施形態に係る集塵ケースを説明する模式断面図である。
【００５２】
図８に示すように、この集塵ケース１０は、入力部としてのプッシュボタン９を備えている。このプッシュボタン９は、ユーザの手指が触れるボタン部９ａと、このボタン部９ａから前方に延出するその先端が下方に向けて屈曲するフック部９ｂと、ボタン部９ａから下方に延出する突出片１９と、を備えている。また、このプッシュボタン９は、ケース部材１１の上部前縁に沿って延設される軸部２８によって、ボタン部９ａとフック部９ｂとの略中間が軸支されており、この軸部２８周りに回動可能となっている。
【００５３】
また、フック部９ｂの先端は、蓋体１２が閉状態を維持するように、蓋体１２の上部を係止している。そして、軸部２８周りには、図示しない捻りコイルばねが取り付けられており、この捻りコイルばねが、フック部９ｂの先端を蓋体１２の上部に向かうように付勢している。つまり、ユーザの手指がボタン部９ａを押し下げると、プッシュボタン９は、フック部９ｂの先端が上方に向かうように軸部２８周りに回動する。その結果、フック部９ｂが蓋体１２の上部に対する係止を解くことで、前記実施形態と同様に、蓋体１２は開くこととなる。
【００５４】
また、本発明の他の実施形態に係る集塵ケース１０では、前記実施形態の集塵ケース１０と異なって、規制ストッパ２５ａが後側壁部２２に設けられている。そして、後側壁部２２に対して上側壁部２５を回動させる支軸２５ｂ周りには、上側壁部２５が開くように付勢する図示しない捻りコイルばねが設けられている。
【００５５】
つまり、蓋体１２が開いて塵埃収容器２０が突き出た際に、規制ストッパ２５ａが規制部１１ｄに当接すると、上側壁部２５が上方に向けて開くことによって、上側壁部２５に設けられた突起１３がボタン部９ａの下方でケース部材１１の上面に形成された貫通孔３１に臨むようになっている。
【００５６】
次に、図９を参照して、本発明の他の実施形態に係る塵埃収容器２０の動作について説明する。図９（ａ）から図９（ｄ）は、本発明の他の実施形態変形例に係る塵埃収容器において塵埃を廃棄する際の動作を説明するための模式断面図である。図９（ａ）に示すように、ユーザＵがプッシュボタン９のボタン部９ａを押し下げると、前記したように、フック部９ｂによる蓋体１２の係止が解かれる。
【００５７】
そして、図９（ｂ）に示すように、蓋体１２が回動することで開いたケース部材１１の前側開口３３から塵埃収容器２０が突き出ると、塵埃収容器２０内で纏まった塵埃Ｄが塵埃収容器２０から放出される。この際、塵埃収容器２０の規制ストッパ２５ａがケース部材１１の前側開口３３近傍（図６の規制部１１ｄ）に当接する。そして、塵埃収容器２０の上側壁部２５は、前記したように、軸部２８周りに設けられた図示しない捻りコイルばねによって上方に向かって開くこととなる。その結果、上側壁部２５に設けられた突起１３は、貫通孔３１に臨むことで、ボタン部９ａの突出片１９と近接して向き合うか、又は当接する。
【００５８】
次に、図９（ｃ）に示すように、ユーザＵがボタン部９ａを勢いよく押し下げると、突出片１９が上側壁部２５の突起１３を打撃することで、上側壁部２５は下方に変位する。また、突起１３が規制ストッパ２５ａよりも前側に位置することから、上側壁部２５の突起１３が打撃を受けた際に、規制部１１ｄから規制ストッパ２５ａに対して反力が付与される。その結果、規制ストッパ２５ａが規制部１１ｄから離れると共に塵埃収容器２０は、突出方向と逆の方向に変位する。
【００５９】
そして、図９（ｄ）に示すように、捻りコイルばね３０（図５参照）の付勢力によって、塵埃収容器２０は、図９（ｂ）に示す位置と同様の位置に復元する。次に、ユーザＵは、ボタン部９ａから手指を離して解放すると共に、再び図９（ｃ）に示すように、ボタン部９ａを勢いよく押し下げて、突出片１９で上側壁部２５の突起１３を打撃する。このような図９（ｃ）にボタン部９ａの押し下げ動作と、図９（ｄ）に示すボタン部９ａの解放動作を素早く繰り返すことで、言い換えれば、ユーザの手動によってプッシュボタン９を素早く往復移動させることで、塵埃収容器２０は、突出方向への変位と逆方向への変位を小刻みに繰り返して振動することとなる。その結果、塵埃収容器２０に付着した塵埃Ｄは、塵埃収容器２０から効率よく取り除かれることとなる。
【００６０】
以上のような変形例に係る塵埃収容器２０を備える電気掃除機１によれば、前記実施形態に係る電気掃除機１と同様の作用効果を奏すると共に、入力部をプッシュボタン９とすることで、集塵ケース１０のコンパクト化を図ることができる。
【００６１】
また、軸部２７を介して荷重が突起１３に加えられるレバー８と異なって、プッシュボタン９は、ユーザＵの押し下げ動作がそのまま突起１３に伝達されるので、塵埃収容器２０の振動時における振動幅（塵埃収容器２０の移動のストローク）の調節が容易になる。
【符号の説明】
【００６２】
１…電気掃除機、２…掃除機本体、２ａ…蓋体、２ｂ…収納室、３…ホース、４…操作管、５…延長管、６…板ばね、７…吸込具、８…レバー（入力部）、９…プッシュボタン（入力部）、９ａ…ボタン部、９ｂ…フック部、１０…集塵ケース、１１…ケース部材、１１ａ…ヒンジ部、１１ｄ…規制部、１２…蓋体、１２ａ…流入口、１３…突起、１４…誤開き防止部材、１４ａ…枠部、１４ｂ…突出部、１４ｃ…回動軸、１５…フィルタ部材、１６…把持部、１７…係止孔、１８…係止片、１９…突出片、１９ａ…突出片、２０…塵埃収容器、２０ａ…フィルタ、２１…下側壁部（壁部）、２１ａ…支軸、２２…後側壁部（壁部）、２３…側壁部（壁部）、２５…上側壁部（壁部）、２５ａ…規制ストッパ、２５ｂ…支軸、２６…基部、２７…軸部、２８…軸部、３０…捻りコイルばね（付勢手段）、３３…前側開口（集塵ケースの開口）、３４…後側開口、Ｄ…塵埃、Ｕ…ユーザ。
【図１】
2013070840.tif 000003
【図２】
2013070840.tif 000004
【図３】
2013070840.tif 000005
【図４】
2013070840.tif 000006
【図５】
2013070840.tif 000007
【図６】
2013070840.tif 000008
【図７】
2013070840.tif 000009
【図８】
2013070840.tif 000010
【図９】
2013070840.tif 000011